(57)【特許請求の範囲】
【請求項１】
各種電子部品を実装した基板を内部空間に収容し、少なくとも、第一のケース構成体と第二のケース構成体を分離することがケース開封の必要条件である遊技台の基板収納ケースであって、
前記第一のケース構成体および第二のケース構成体は、基板の視認性を損なうことがないよう可視光域で透明性を有する素材で構成され、
前記第一のケース構成体に前記第二のケース構成体を適正に取り付けたときに、第二のケース構成体の封止挿入部から第一のケース構成体の封止受入部に連通すると共に、ケース外部から透かして見ることができる封止空部が形成され、
前記第一のケース構成体と第二のケース構成体を分離不能に保持するために封止空部へ挿入する挿入封止部を備える封止部材には、前記挿入封止部が封止空部へ挿入される位置を浅い第一の位置に規制する挿入位置規制部を設け、
前記挿入位置規制部と連結部を介して接続される挿入封止部には、
前記挿入位置規制部によって規制された第一の位置まで封止空部へ挿入されることで、第一のケース構成体の第一の係止受部に係止され、封止空部からの退避を不能にする第一の退避阻止部と、
前記挿入位置規制部によって規制された第一の位置まで封止空部へ挿入されたときには、前記第一のケース構成体に対して前記第二のケース構成体を分離するために、第二のケース構成体の封止挿入部が必ず通過する開封通過領域に延在することで、第一のケース構成体と第二のケース構成体の分離を阻止するケース分離阻止部と、
前記ケース分離阻止部と前記連結部とを切断し易くした切断部と、
を設け、
少なくとも、前記挿入封止部の切断部を挟んで繋がっているケース分離阻止部と連結部は、不透明な有色表面を有するものとし、
前記切断部にて連結部とケース分離阻止部とを切断することで前記挿入位置規制部による挿入位置の規制が解かれたときに、前記ケース分離阻止部が第二のケース構成体の開封通過領域から外れる第二の位置まで、挿入封止部を封止空部へ深く挿入することで、第一のケース構成体と第二のケース構成体が分離可能になり、
前記挿入封止部を第二の位置まで封止空部へ挿入したとき、第一のケース構成体に設けた第二の係止受部に係止され、封止空部からの退避を不能にする第二の退避阻止部を挿入封止部に設け、
前記第二の退避阻止部は、前記第二の係止受部に係止されるまでの間に、他の部位とは係止されない配置構造としたことを特徴とする遊技台の基板収納ケース。
【請求項２】
請求項１に記載の遊技台の基板収納ケースにおいて、
前記挿入封止部を第二の位置まで封止空部へ挿入したとき、前記ケース分離阻止部が前記第一のケース構成体における封止受入部の開口面より突出しないようにしたことを特徴とする遊技台の基板収納ケース。
【発明の詳細な説明】
【技術分野】
【０００１】
本発明は、回胴遊技機（スロットマシン）や弾球遊技機（パチンコ機）に代表される遊技台に取り付けられる基板収納ケースに関する。
【背景技術】
【０００２】
従来、遊技台の一つとして、例えばスロットマシンが知られている。このスロットマシンは、一般に、複数種類の図柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段とを備え、入賞役に内部当選した場合であって、停止時のリールによって表示される図柄の組合せが、内部当選した入賞役に対応して予め定められた図柄の組合せである場合に、その入賞役に入賞し、払い出しが必要な場合には所定数のメダルを払い出すように構成されている。
【０００３】
このような遊技台は、ＣＰＵやＲＯＭ、ＲＡＭ等の電子部品を実装した遊技制御基板等を備え、これら遊技制御基板等によって入賞役の内部抽選やメダルの払い出し等を制御することで、円滑な遊技進行が可能となっている。このため、制御プログラムや抽選データ等が記憶されたＲＯＭを交換する等、様々な不正行為が遊技制御基板等に対して行われる場合があった。
【０００４】
このような不正行為の防止を強化する観点から、遊技進行に必要な各種の基板をボックス本体と蓋体から成る基板ボックスに収容し、この基板ボックスが容易に開封されないような固着機構として、ボックス本体に設けた封止部材と蓋体に設けた封止部材を一方向ネジで螺合するカシメ構造を採用した遊技台が提案されており（例えば、特許文献１を参照）、このカシメ構造で封止された基板ボックスを開封するには、一方向ネジで螺合された封止部材をボックス本体および蓋体から切除しなければならないため、封止部材を切除した痕跡から基板ボックスの開封状態を目視で確認でき、不正行為の発見が容易である。また、基板ボックスを開封した痕跡が残ってしまうことから、不正目的での基板ボックス開封に対する抑止にも効果がある。
【先行技術文献】
【特許文献】
【０００５】
【特許文献１】特開２００１−２７６３８８号公報
【発明の概要】
【発明が解決しようとする課題】
【０００６】
しかしながら、上記特許文献１に記載された遊技台の基板ボックスでは、封止部材を切除した痕跡が目視で確認できないと、開封状態を発見できない上に、不正目的での基板ボックス開封に対する抑止効果も無くなってしまう。近年は、レーザーカッター等で封止部材を切除することにより、切除の痕跡を目立たせずに基板ボックスを開封する巧妙な手口が用いられることもあるため、特許文献１に記載されたようなカシメ構造で基板ボックスを封止しても、不正防止や不正行為の発見に有効とは言えなくなっている。
【０００７】
また、昨今は、資源の有効利用という観点から遊技台の回収・リサイクルが行われているが、上記特許文献１に記載された遊技台の基板ボックスのように、封止部材を切除するカシメ構造を採用していると、回収された遊技台の基板ボックスをそのまま再利用できないといった問題もある。
【０００８】
そこで、本発明は、このような問題点を解決するためになされたもので、基板収納ケース開封の痕跡を残して、基板収納ケースの開封による不正防止に有効な遊技台の基板収納ケースの提供を目的とする。
【課題を解決するための手段】
【０００９】
上記課題を解決するために、請求項１に係る発明は、各種電子部品を実装した基板を内部空間に収容し、少なくとも、第一のケース構成体と第二のケース構成体を分離することがケース開封の必要条件である遊技台の基板収納ケースであって、前記第一のケース構成体および第二のケース構成体は、基板の視認性を損なうことがないよう可視光域で透明性を有する素材で構成され、前記第一のケース構成体に前記第二のケース構成体を適正に取り付けたときに、第二のケース構成体の封止挿入部から第一のケース構成体の封止受入部に連通すると共に、ケース外部から透かして見ることができる封止空部が形成され、前記第一のケース構成体と第二のケース構成体を分離不能に保持するために封止空部へ挿入する挿入封止部を備える封止部材には、前記挿入封止部が封止空部へ挿入される位置を浅い第一の位置に規制する挿入位置規制部を設け、前記挿入位置規制部と連結部を介して接続される挿入封止部には、前記挿入位置規制部によって規制された第一の位置まで封止空部へ挿入されることで、第一のケース構成体の第一の係止受部に係止され、封止空部からの退避を不能にする第一の退避阻止部と、前記挿入位置規制部によって規制された第一の位置まで封止空部へ挿入されたときには、前記第一のケース構成体に対して前記第二のケース構成体を分離するために、第二のケース構成体の封止挿入部が必ず通過する開封通過領域に延在することで、第一のケース構成体と第二のケース構成体の分離を阻止するケース分離阻止部と、前記ケース分離阻止部と前記連結部とを切断し易くした切断部と、を設け、少なくとも、前記挿入封止部の切断部を挟んで繋がっているケース分離阻止部と連結部は、不透明な有色表面を有するものとし、前記切断部にて連結部とケース分離阻止部とを切断することで前記挿入位置規制部による挿入位置の規制が解かれたときに、前記ケース分離阻止部が第二のケース構成体の開封通過領域から外れる第二の位置まで、挿入封止部を封止空部へ深く挿入することで、第一のケース構成体と第二のケース構成体が分離可能になり、前記挿入封止部を第二の位置まで封止空部へ挿入したとき、第一のケース構成体に設けた第二の係止受部に係止され、封止空部からの退避を不能にする第二の退避阻止部を挿入封止部に設け、前記第二の退避阻止部は、前記第二の係止受部に係止されるまでの間に、他の部位とは係止されない配置構造としたことを特徴とする。
【００１０】
また、請求項２に係る発明は、前記請求項１に記載の遊技台の基板収納ケースにおいて、前記挿入封止部を第二の位置まで封止空部へ挿入したとき、前記ケース分離阻止部が前記第一のケース構成体における封止受入部の開口面より突出しないようにしたことを特徴とする。
【発明の効果】
【００１１】
本発明に係る遊技台によれば、第１ケース構成体と第２ケース構成体を分離するためには、封止部材の挿入封止部と連結部を切断し、挿入封止部を封止空部内の第１位置から第２位置まで移動させる必要があるため、開封後に封止部材を元通りに復元することが困難であるから、基板収納ケース開封の痕跡が残ることとなり、基板収納ケースの開封による不正防止に有効である。加えて、開封のために封止部材が切断部で切断されると、不透明な有色表面を有するケース分離阻止部と連結部が離隔している状態を視認し易いことに加えて、第２位置に移動させた封止挿入部のケース分離阻止部が封止空部を透かして見えるので、開封の痕跡を一層良好に確認できる。
【図面の簡単な説明】
【００１２】
【図１】本発明に係る基板収納ケースを備えるスロットマシンの外観斜視図である。
【図２】スロットマシンの内部構成の概略を示す前面扉を開いた斜視図である。
【図３】本発明の第１実施形態に係る基板収納ケースの分解斜視図である。
【図４】基板収納ケースを構成する取付ベースとカバー部材の取り付け方法を示した図である。
【図５】（ａ）カバー部材が固定位置において取付ベースに固定されると共に封印された状態を示した図である。（ｂ）取付ベースからのカバー部材の取り外し方法を示した図である。
【図６】（ａ）カバー部材へ封止部材を取り付ける前の状態を示す外観斜視図である。（ｂ）カバー部材へ封止部材を取り付けて取付ベースに固着した状態を示す外観斜視図である。
【図７】カバー部材に取り付けた封止部材における切断部の切断状態説明図である。
【図８】（ａ）〜（ｃ）取付ベースに対するカバー部材の封印から封印解除による開封までの工程を示した概略断面図である。
【図９】主制御部の回路ブロック図を示したものである。
【図１０】副制御部の回路ブロック図を示したものである。
【図１１】主制御部のメイン処理の流れを示すフローチャートである。
【図１２】（ａ）副制御部の割込み処理の流れを示すフローチャートである。（ｂ）副制御部のメイン処理の流れを示すフローチャートである。
【図１３】（ａ）第２実施形態に係る基板収納ケースの封止前における外観斜視図である。（ｂ）第２実施形態に係る基板収納ケースの封印後における外観斜視図である。
【図１４】（ａ）〜（ｃ）第２実施形態に係る基板収納ケースの封印から封印解除による開封までの工程を示した概略断面図である。
【図１５】パチンコ機の正面図である。
【発明を実施するための形態】
【００１３】
以下、図面を用いて、本発明の実施形態に係る基板収納ケースの実施形態について詳細に説明する。
【００１４】
〈全体構成〉
まず、図１を用いて、本実施形態に係る基板収納ケースを備える遊技体の一例として、スロットマシン１００の全体構成について説明する。なお、同図はスロットマシン１００の外観斜視図を示したものである。
【００１５】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施形態では、３個のリールをスロットマシン１００の中央内部に備えているが、リールの数やリールの設置位置はこれに限定されるものではない。
【００１６】
また、図柄表示窓１１３の外枠には、点滅や点灯などの点灯制御によって、後述する有効ラインや入賞ラインを報知するためのライン表示ＬＥＤ（図示省略）が配置されている。
【００１７】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００１８】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００１９】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２０】
メダル投入ボタン１３０、１３１は、スロットマシン１００に電子的に貯留されているメダルを所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２１】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００２２】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施形態では発光可能な受皿を採用している。
【００２３】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置１５７を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００２４】
〈内部構成〉
次に、スロットマシン１００の内部構成について簡単に説明する。図２は、スロットマシン１００の内部構成の概略を示す前面扉１０２を開いた斜視図である。本体部としてのキャビネット１０１の内部には、主基板収納ボックス２１０、副制御基板収納ケース２２０およびリールユニット１８５や、図示を省略した電源ボックス、メダル払出装置１８０、メダル補助収納部２４０、中央スピーカユニット、外部中継端子板等の諸装置が配設されている。
【００２５】
リールユニット１８５は、樹脂製のケース２２１内にステッピングモータで駆動されるリール１１０〜１１２を個別に着脱可能に取り付けて構成している。そして、このリールユニット１８５は、ケース２２１により３本のリールをユニット化し、キャビネット１０１に設けたリールユニット載置台２７８に対する着脱を容易に行えるように構成している。また、リールユニット載置台２７８の下部には、音通路２７７が取り付けられ、前面扉１０２がキャビネット１０１に閉じられた状態で前面扉１０２に取り付けられた音通路２６８と組み合わさるように構成している。中央スピーカユニットから出力された音は、この音通路２７７および音通路２６８を通過して外部に出力される。
【００２６】
キャビネット１０１の内部には、透明な樹脂ケースからなる主基板収納ボックス２１０が、キャビネット１０１を構成している後板の上部に、取付ベース２３０を介して取り付けられている。この主基板収納ボックス２１０の内部空間には、スロットマシン１００の全体的な制御を行う主制御部３００を構成する電子部品を実装した主制御基板が収納されている。
【００２７】
また、図示を省略した電源ボックスは、キャビネット１０１の後板の壁面に装着され、金属製ケースの内部に、スロットマシン１００の諸装置へ必要な電力を供給するための電源基板が収納されている。
【００２８】
さらに、キャビネット１０１の内部には、メダルを払い出すためのメダル払出装置１８０（以下、ホッパー１８０ということがある）が配設してある。メダル払出装置１８０は、ＤＣモータで駆動されメダルを１枚ずつ払い出すと共に、メダルを払い出す毎に検出信号を出力する払出装置本体１８１と、払出装置本体１８１にメダルを供給すると共にメダルを蓄積するメダルタンク１８２とで構成されている。そして、メダル払出装置１８０の横には、メダル補助収納部２４０が置かれており、前記メダル払出装置１８０がメダルでいっぱいになると、余分なメダルは流れ落ち、このメダル補助収納部２４０内に蓄積される。
【００２９】
そして、前記主制御基板およびリール１１０〜１１２の側方、即ち向って左側の側板には、演出の制御を行う副制御部４００を構成する副制御基板を収納した副基板収納ケース２２０が配設してある。
【００３０】
一方、キャビネット１０１の側板にヒンジ装置２７６を介して蝶着された前面扉１０２には、演出装置２９０、この演出装置を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルをメダルタンク１８２に案内する通路１７１を備えている。
【００３１】
〈基板収納ケースの第１実施形態〉
次に、図３〜７を用いて、主基板収納ボックス２１０を含む基板収納ケースの構成について説明する。図３は、例えば、主基板収納ボックス２１０と取付ベース２３０とカバー部材２５０により構成した基板収納ケースの分解斜視図である。なお、主基板収納ケースとしては、内部空間に収容する主制御基板２１１の視認性を損なってはいけないので、主基板収納ボックス２１０は勿論、取付ベース２３０とカバー部材２５０も可視光域で透明性を有する素材（例えば、無色あるいは淡い色の透明樹脂）で構成する。
【００３２】
〈主基板収納ボックス〉
まず、主基板収納ボックス２１０について説明する。主基板収納ボックス２１０は、底面が略矩形の角皿状である基板収納体２１２および蓋体２１３を組み合わせて構成される箱体となっている。この主基板収納ボックス２１０の内部の空間には、遊技に関するプログラムや各種データ等を記憶したＲＯＭ３１２や、ＣＰＵ、ＲＡＭ等のその他の電子部品２１１ａが実装され、後述する主制御部３００を構成する主制御基板２１１が、ネジ２１１ｂによって四隅を基板収納体２１２に固定された状態で収納される。基板収納体２１２および蓋体２１３は、上述したように、それぞれ透光性の樹脂（例えば、可視光透過率が７０％程度以上）から構成されており、主基板収納ボックス２１０内部に収納された主制御基板２１１を外部から視認することが可能となっている。
【００３３】
基板収納体２１２の下側縁には門型のヒンジ部２１２ａが２箇所に設けられ、左右側縁の上部には矩形状の窪みである係止凹部２１２ｂがそれぞれ設けられている。そして、蓋体２１３の下側縁にはヒンジ部２１２ａと係合するフック状のフック部２１３ａが２箇所に設けられ、左右側縁の上部には係止凹部２１２ｂと係止する凸部を備える係止舌片２１３ｂがそれぞれ設けられている。従って、主基板収納ボックス２１０を組み立てる場合には、まず、蓋体２１３のフック部２１３ａを基板収納体２１２のヒンジ部２１２ａに係合させ、次に、ヒンジ部２１２ａを中心に蓋体２１３を揺動させて基板収納体２１２と蓋体２１３を合わせると共に蓋体２１３の係止舌片２１３ｂを基板収納体２１２の係止凹部２１２ｂに係止させる。
【００３４】
また、基板収納体２１２および蓋体２１３の上部には、ボックス用かしめピン２１４ａを挿入して両者を分離できないように封印（かしめ）するためのボックス用かしめ部２１２ｃ、２１３ｃが、それぞれ４箇所に設けられている。これらのボックス用かしめ部２１２ｃ、２１３ｃは、基板収納体２１２および蓋体２１３を組み合わせた場合に、基板収納体２１２のボックス用かしめ部２１２ｃが蓋体２１３のボックス用かしめ部２１３ｃ内に収容され、ボックス用かしめピン２１４ａが挿入される挿入孔がそれぞれ連通するように構成されている。そして、この連通した挿入孔に挿入されたボックス用かしめピン２１４ａが、ボックス用かしめ部２１２ｃ、２１３ｃのそれぞれに取り外し不可能に係止するようになっている。すなわち、ボックス用かしめピン２１４ａを挿入することにより、ボックス用かしめ部２１２ｃ、２１３ｃが互いに分離不可能に結合され、主基板収納ボックス２１０が封印される。
【００３５】
なお、一旦封印した主基板収納ボックス２１０を開封する場合には、蓋体２１３のボックス用かしめ部２１３ｃを蓋体２１３から切断する。これにより、基板収納体２１２および蓋体２１３を分離した後も、蓋体２１３のボックス用かしめ部２１３ｃが基板収納体２１２のボックス用かしめ部２１２ｃと結合したまま基板収納体２１２に残ることととなり、主基板収納ボックス２１０を開封した痕跡が残るようになっている。本構成例では、ボックス用かしめ部２１２ｃ、２１３ｃが４箇所に設けられているため、主基板収納ボックス２１０の封印を４回行うことができるようになっている。
【００３６】
また、基板収納体２１２および蓋体２１３の上部の左右両端には、固定用かしめピン２１４ｂを挿入することによって主基板収納ボックス２１０の取付ベース２３０への固定を封印するための固定用かしめ部２１２ｄ、２１３ｄが２箇所に設けられている。これらの固定用かしめ部２１２ｄ、２１３ｄは、基板収納体２１２および蓋体２１３を組み合わせた場合に、基板収納体２１２の固定用かしめ部２１２ｄ内に蓋体２１３の固定用かしめ部２１３ｄの一部が収容され、固定用かしめピン２１４ｂが挿入される挿入孔がそれぞれ連通するように構成されている。そして、蓋体２１３側から固定用かしめピン２１４ｂをこの連通した挿入孔に挿入すると共に、基板収納体２１２の背後に突出した固定用かしめピン２１４ｂの先端部を取付ベース２３０に設けられた嵌入孔２３１内に嵌入することにより、主基板収納ボックス２１０の取付ベース２３０への固定が封印されるようになっている。
【００３７】
固定用かしめピン２１４ｂは、先端部が基板収納体２１２の背後に突出して嵌入孔２３１に嵌入した状態では、蓋体２１３の固定用かしめ部２１３ｄと係止して取り外せないようになっている。本実施形態では、固定用かしめ部２１２ｄ、２１３ｄが２箇所に設けられているため、主基板収納ボックス２１０の固定の封印を２回行うことが可能となっている。
【００３８】
なお、主基板収納ボックス２１０の基板収納体２１２の一側端部（図３においては左側端部）には、矩形状の２つの係合凸部２１２ｆが突設されており、この２つの係合凸部２１２ｆを取付ベース２３０に設けられた係合凹部２３０ｂに係合させることによって、主基板収納ボックス２１０は取付ベース２３０に固定される。主基板収納ボックス２１０の取付ベース２３０への固定の詳細については後述する。
【００３９】
また、本実施形態では、ボックス用かしめ部２１２ｃ、２１３ｃおよび固定用かしめ部２１２ｄ、２１３ｄの配置に応じて、２つのボックス用かしめピン２１４ａおよび１つの固定用かしめピン２１４ｂを略Ｅ字形状の連結部材２１４ｃで連結している。このように、複数のボックス用かしめピン２１４ａおよび固定用かしめピン２１４ｂを連結し、一体化することによって、これらのかしめピン２１４ａ、２１４ｂの紛失を防止すると共に、封印忘れを防止することができる。
【００４０】
主基板収納ボックス２１０の上部中央は、ＩＣタグ封印シール２１５を貼付ける部分となっている。基板収納体２１２の上部中央には、蓋体２１３に向けて突出する矩形状の凸部２１２ｅが設けられており、基板収納体２１２と蓋体２１３を組み合わせた場合に、蓋体２１３の上部中央に設けられた凹部２１３ｅ内に収容されるようになっている。そして、ＩＣタグ封印シール２１５は、基板収納体２１２の凸部２１２ｅの表面とその下方の蓋体２１３の表面に跨って貼付けられる（図５参照）。従って、本実施形態では、主基板収納ボックス２１０を開封するにはＩＣタグシール２１５を剥がす、または破断する必要があり、これによっても主基板収納ボックス２１０を開封した痕跡が残るようになっている。すなわち、主基板収納ボックス２１０は、ＩＣタグ封印シール２１５によっても封印されている。
【００４１】
上述したように、基板収納体２１２と蓋体２１３の内部空間に収容される主制御基板２１１には、外部の各種基板等に繋がるケーブルを接続するための複数のコネクタ２１１ｃが実装されており、蓋体２１３には、これらのコネクタ２１１ｃに対応する位置に複数のコネクタ孔２１３ｆが設けられている。主制御基板２１１が主基板収納ボックス２１０内に収納された状態では、各コネクタ２１１ｃは、対応するコネクタ孔２１３ｆから一部が露出するようになっている。従って、主基板収納ボックス２１０を開封しなくとも、外部の各種基板等に繋がるケーブルを各コネクタ２１１ｃに接続することが可能となっている。また、逆に、各コネクタ２１１ｃに接続されたケーブルを外さない限り、基板収納体２１２と蓋体２１３を分離して主基板収納ボックス２１０を開封することができないため、これらのコネクタ２１１ｃは、主基板収納ボックス２１０の開封を阻止する開封阻止部として機能している。なお、本実施形態では、コネクタ２１１ｃが主制御基板２１１の左右両端部に実装されているため、コネクタ孔２１３ｆは蓋体２１３の左右両端部にのみ設けられている。
【００４２】
〈取付ベース〉
次に、取付ベース２３０について説明する。取付ベース２３０は、上述したように、透光性のある樹脂から構成された略矩形状の部材であり、中央に主基板収納ボックス２１０を固定して収容するための矩形状の窪みである収容凹部２３０ａが形成されている。収容凹部２３０ａ底面の四隅近傍には、取付ベース２３０をキャビネット１０１に固定するためのネジを挿通する挿通孔２３２が形成されている。これらの挿通孔２３２は、収容凹部２３０ａ内に主基板収納ボックス２１０が固定された状態では、主基板収納ボックス２１０によって遮蔽されることとなる。従って、主基板収納ボックス２１０を取付ベース２３０から取り外さない限り、取付ベース２３０をキャビネット１０１から取り外すことができないようになっている。
【００４３】
収容凹部２３０は、主基板収納ボックス２１０の基板収納体２１２の２つの係合凸部２１２ｆと係合する２つの係合凹部２３０ｂが左側面に設けられると共に、左右方向の幅が主基板収納ボックス２１０よりやや大きく形成され、収容凹部２３０内で主基板収納ボックス２１０を左右にスライド可能に構成されている。従って、主基板収納ボックス２１０は、一旦右よりに収容凹部２３０ａ内に収容した後に左方向にスライドさせ、係合凸部２１２ｆを係合凹部２３０ｂに係合させることによって取付ベース２３０に固定される。なお、収容凹部２３０ａの下側側面には、主基板収納ボックス２１０のヒンジ部２１２ａおよびフック部２１３ａと干渉しないようにするための２つの切欠き部２３０ｃが形成されている。
【００４４】
係合凸部２１２ｆを係合凹部２３０ｂに係合させた後、固定用かしめ部２１２ｄ、２１３ｄを通して固定用かしめピン２１４ｂを収容凹部２３０ａの底面に設けられた嵌入孔２３１に嵌入し、主基板収納ボックス２１０の左右方向の移動を規制することによって、主基板収納ボックス２１０の取付ベース２３０への固定が封印される。これにより、固定用かしめピン２１４ｂまたは固定用かしめ部２１２ｄ、２１３ｄを破壊する等の痕跡を残さない限り、主基板収納ボックス２１０を取り外すことが不可能となる。嵌入孔２３１は、係合凸部２１２ｆを係合凹部２３０ｂに係合させた状態での固定用かしめ部２１２ｄ、２１３ｄに対応する位置、すなわち収容凹部２３０ａ底面の上側の左右角部の近傍にそれぞれ設けられている。
【００４５】
なお、収容凹部２３０ａは、主基板収納ボックス２１０の基板収納体２１２と蓋体２１３の合せ面が収容凹部２３０ａ内に位置する深さに形成されている。本実施形態では、収容凹部２３０ａの深さをこのように設定することで、基板収納体２１２と蓋体２１３の合せ面への外部からのアクセスを遮断し、この合せ面を介した不正行為を防止するようにしている。
【００４６】
取付ベース２３０の一側下部（図３においては右側面下部）には、外部集中端子板２３３を固定するための外部集中端子板固定部２３０ｄが突設されている。この外部集中端子板２３３は、遊技店等に設置される情報収集装置（例えば、ホールコンピュータ）、および主制御基板２１１に接続され、主制御基板２１１から情報収集装置への各種情報の送信を中継するためのものである。なお、主制御基板２１１と情報収集装置の間の通信は一方向通信であり、情報収集装置から主制御基板への情報の送信はできないようになっている。外部集中端子板２３３は、外部集中端子板固定部２３０ｄの表面において、左側端部を２つの固定片２３０ｅの背後に嵌め込んだ後に右側端部を２つの係止片２３０ｆに係止させることによって固定される。
【００４７】
取付ベース２３０表面の左端部には、主制御基板２１１のコネクタ２１１ｃに接続されたケーブルを部分的に収容するためのケーブル用凹部２３０ｇが形成されている。ケーブル用凹部２３０ｇには、主制御基板２１１の左側に配置されたコネクタ２１１ｃに接続されるケーブルを拘束する（図４参照）ためのケーブル拘束具２３４が２つ配設されている。これらのケーブル拘束具２３４は、ケーブル用凹部２３０ｇの底面に設けられた２つの取付孔２３０ｈに、固定ピン２３４ａを挿入して係止させることにより、着脱可能に取付けられる。
【００４８】
取付ベース２３０表面の左上部、右上部、および左下部の３箇所には、後述するカバー部材２５０を取付ベース２３０に取り付けるための、案内溝２３５が設けられている。これらの案内溝２３５は、左右方向に所定の長さで形成された溝状の孔であり、左側半分の幅広の挿脱部２３５ａ、および右側半分の幅狭の案内部２３５ｂから構成されている。さらに、取付ベース２３０表面の左下部には、取付ベース２３０に取り付けたカバー部材２５０の左方向への移動を規制するための制止片２３６が設けられている。この制止片２３６は、取付ベース２３０の一部を切り欠くことにより、弾性変形によって先端部が表裏方向に移動可能な舌片状に形成したものである。制止片２３６の先端部表面には、先端に向けて漸次肉厚が増すように形成された斜面部２３６ａが設けられている。従って、制止片２３６の先端部は、斜面部２３６ａが取付ベース２３０の表面から突出した状態となっている。
【００４９】
また、取付ベース２３０表面の右上部には、後述するカバー部材２５０を固着するためのカバー用かしめピン２６０の一部が挿入される位置決め挿入孔２３７およびカバー用かしめピン２６０の一部が退避不能に係止される封止受入部２３８が設けられている。
【００５０】
そして、主基板収納ボックス２１０から主制御基板２１１を取り出すためには、取付ベース２３０とカバー部材２５０を分離することが必要条件となり、第１ケース構成体としての取付ベース２３０と第２ケース構成体としてのカバー部材２５０を分離するために封止部材たるカバー用かしめピン２６０による封止を解除すると、後述するように、カバー用かしめピン２６０を初期状態に復元させることが出来ないので、基板収納ケース開封の痕跡が残ることとなり、基板収納ケースの開封による不正防止に有効である。
【００５１】
〈カバー部材〉
次に、カバー部材２５０について説明する。カバー部材２５０は、上述したように、透光性のある樹脂から構成された部材であり、取付ベース２３０に固定された主基板収納ボックス２１０の上部に配置されたボックス用かしめ部２１２ｃ、２１３ｃ、固定用かしめ部２１２ｄ、２１３ｄ、およびＩＣタグ封印シール２１５を前方（表側）から覆う（遮蔽する）と共に、主基板収納ボックス２１０の左端部に位置するコネクタ２１１ｃを前方から覆う（遮蔽する）ための部材である。従って、カバー部材２５０は、水平方向に伸びる横長の略長方形板状の水平部２５０ａ、および水平部２５０ａの左端部を基端として下方向に伸びる縦長の略長方形板状の垂直部２５０ｂから構成された略Ｌ字形の一体形状の部材となっている。換言すれば、カバー部材２５０は、前方（表側）から見た場合に、主基板収納ボックス２１０の左上角部から右方向に略水平に伸びる辺の近傍の領域、および左上角部から下方向に略垂直に伸びる辺の近傍の領域を覆うことが可能なＬ字形状に一体的に構成されている。
【００５２】
本実施形態では、このようにカバー部材２５０をＬ字形状とすることにより、主基板収納ボックス２１０の開封を阻止する開封阻止部であるボックス用かしめ部２１２ｃ、２１３ｃ、固定用かしめ部２１２ｄ、２１３ｄ、ＩＣタグ封印シール２１５、およびコネクタ２１１ｃを１つの部材で効率的に覆いながらも、主基板収納ボックス２１０内部の視認性、特に中央部の視認性を確保することで、主制御基板２１１に実装されたＲＯＭ３１２の目視による確認を阻害することがないようにしている。また、ＣＰＵやＲＡＭ等のその他の電子部品２１１ａについても、目視により容易に状態を確認することができるようになっている。
【００５３】
カバー部材２５０の水平部２５０ａの上端の左右両端部近傍、および垂直部２５０ｂの下端の３箇所には、鉤形舌片２５１が設けられている。この３つの鉤形舌片２５１は、後方の取付ベース２３０に向けて（裏側に向けて）突設された平板の先端部を外側に向けて曲折した形状となっている。また、垂直部２５０ｂの下端近傍には、矩形断面の孔である制止孔２５２が設けられている。これらの鉤形舌片２５１および制止孔２５２は、カバー部材２５０を取付ベース２３０に固定するためのものである。カバー部材２５０の取付ベース２３０への取付については後述する。
【００５４】
カバー部材２５０の垂直部２５０ｂは、コネクタ２１１ｃを覆う部分であるため、コネクタ２１１ｃに接続されるケーブルと干渉しないように垂直部２５０ｂの一部を前方（表側）に向けて膨出させた膨出部２５３が形成されている。従って、カバー部材２５０を取付ベース２３０に固定した状態では、コネクタ２１１ｃに接続されたケーブルは部分的にこの膨出部２５３の内部に収容されることとなる。
【００５５】
〈カバー用かしめピン〉
カバー部材２５０は、封止部材たるカバー用かしめピン２６０により、取付ベース２３０へ封止される。このカバー用かしめピン２６０は、例えば、有色（無彩色も含む）の樹脂により一体成型したもので、カバー部材２５０に取り付けるカバー用固定部２６１と、カバー部材２５０および取付ベース２３０の両方に係止されることで分離不能に保持するための挿入封止部２６２と、この挿入封止部２６２とかしめ連結部２６３を介して連結される挿入位置規制部２６４と、この挿入位置規制部２６４とカバー用固定部２６１とを高い自由度で連結する可撓性連結部２６５から構成されている。
【００５６】
カバー用固定部２６１は、カバー部材２５０の水平部２５０ａの右端部近傍に設けたかしめピン固定用係止孔２５４に係止することで、カバー用かしめピン２６０がカバー部材２５０に固定されるようにするものである。
【００５７】
挿入位置規制部２６４は、カバー部材２５０のかしめピン固定用係止孔２５４よりも右端部よりに設けた封止挿入部２５５の所定位置に嵌入し得る位置決め平坦部２６４ａと、位置決め平坦部２６４ａの下面より延出してカバー部材２５０から取付ベース２３０まで貫通する第１位置決め突部２６４ｂと、位置決め平坦部２６４ａの下面より延出してカバー部材２５０のみに挿入される第２位置決め突部２６４ｃとを備えるもので、取付ベース２３０へ適正に取り付けたカバー部材２５０へ挿入位置規制部２６４を取り付けると、この挿入位置規制部２６４とかしめ連結部２６３を介して連結されている挿入封止部２６２が、カバー部材２５０の封止挿入部２５５と取付ベース２３０の封止受入部２３８とで構成される封止空部内の適正位置（以下、第１位置という）まで挿入されることとなる。また、透光性合成樹脂で構成されたカバー部材２５０の封止挿入部２５５と取付ベース２３０の封止受入部２３８とで構成される封止空部は、ケース外部から透かして見ることができる。
【００５８】
挿入封止部２６２は、挿入位置規制部２６４によって規制された第１位置まで封止空部へ挿入されることで取付ベース２３０の第１係止受部（後に詳述）に係止されて、封止空部からの退避を不能にする第１退避阻止部２６２ａと、第１位置まで封止空部へ挿入されたときには取付ベース２３０からカバー部材２５０を分離するために、カバー部材２５０が必ず通過する開封通過領域に延在する（カバー部材２５０の封止挿入部２５５を貫通して取付ベース２３０の封止受入部２３８内へ至るように存在する）ことで、取付ベース２３０とカバー部材２５０の分離を阻止するケース分離阻止部２６２ｂと、ケース分離阻止部２６２ｂとかしめ連結部２６３とを切断し易くした切断部２６２ｃを有する。
【００５９】
さらに、本構成例においては、挿入封止部２６２の切断部２６２ｃにてかしめ連結部２６３とケース分離阻止部２６２ｂとを切断することで挿入位置規制部２６４による挿入位置の規制が解かれたときに、ケース分離阻止部２６２ｂがカバー部材２５０の開封通過領域から外れる第２位置（例えば、挿入位置規制部２６４の最外端部が取付ベース２３０の封止受入部２３８の開口縁へ挿入された位置）まで、挿入封止部２６２を封止空部へ深く挿入することで、取付ベース２３０の第２係止受部（後に詳述）に係止されて、封止空部からの退避を不能にする第２退避阻止部２６２ｄを設けた。
【００６０】
〈カバー部材の取り付け、取り外し〉
次に、図４〜図８を参照して、取付ベース２３０へのカバー部材２５０の取り付け方法および取付ベース２３０からのカバー部材２５０の取り外し方法について説明する。
【００６１】
図４は、取付ベース２３０へのカバー部材２５０の取り付け方法を示した図である。同図に示されるように、カバー部材２５０を取り付ける前に、主基板収納ボックス２１０が取付ベース２３０に固定される。主基板収納ボックス２１０は、ボックス用かしめ部２１２ｃ、２１３ｃおよびボックス用かしめピン２１４ａによる封印がなされ、ＩＣタグ封印シール２１５が貼付けられた状態で取付ベース２３０に固定され、固定用かしめ部２１２ｄ、２１３ｄおよび固定用かしめピン２１４ｂにより主基板収納ボックス２１０の取付ベース２３０への固定が封印される。そして、コネクタ２１１ｃに外部からのケーブル２１１ｄを接続すると共に、ケーブル拘束具２３４によってケーブル２１１ｄを拘束した後に、カバー部材２５０を取付ベース２３０に取り付け、カバー用かしめピン２６０により封印する。このとき、カバー用かしめピン２６０は、有色の樹脂で成型してあることから、挿入封止部２６２の切断部２６２ｃを挟んでケース分離阻止部２６２ｄとかしめ連結部２６３が繋がっていることで、封印されている状態を視認し易くなっている。
【００６２】
図５（ａ）は、カバー部材２５０が固定位置において取付ベース２３０に固定されると共に封印された状態を示した図である。カバー部材２５０を取付ベース２３０に取り付ける場合には、まず、３つの鉤形舌片２５１を、取付ベース２３０の対応する案内溝２３５の挿脱部２３５ａに、前方（表側）からそれぞれ挿入する。そして、鉤形舌片２５１を挿脱部２３５ａに挿入したまま、右方向、すなわち案内部２３５ｂに向けてカバー部材２５０をスライドさせ、鉤形舌片２５１の右端が案内部２３５ｂの右端に略当接する固定位置まで移動させる。この固定位置では、鉤形舌片２５１と案内部２３５ｂが係合した状態となるため、カバー部材２５０の前後方向（表裏方向）の移動は規制されることとなる。
【００６３】
取付ベース２３０の制止片２３６は、カバー部材２５０をスライドさせているときには先端の斜面部２３６ａがカバー部材２５０の裏面に押圧されて弾性変形し、後方（裏側方向）に曲がって逃げた状態となっている。その後、カバー部材２５０が固定位置まで移動すると、カバー部材２５０の制止孔２５２の位置が制止片２３６の斜面部２３６ａの位置と一致し、斜面部２３６ａに対する押圧が解除され、斜面部２３６ａが制止孔２５２内に収容された状態となる。斜面部２３６ａが制止孔２５２内に収容された状態では、制止片２３６の先端面が制止孔２５２の内側面に当接することで、カバー部材２５０の左方向への移動が規制されることとなる。なお、カバー部材２５０の右方向への移動は、鉤形舌片２５１の右端が案内部２３５ｂの右端に当接することで規制されている。
【００６４】
最後に、カバー用かしめピン２６０をカバー部材２５０の封止挿入部２５５から取付ベース２３０の封止受入部２３８へ取り付けることにより、カバー部材２５０を取付ベース２３０の固定した状態に封印する（例えば、図５（ｂ）を参照）。ここで、カバー部材２５０および取付ベース２３０は無色透明の合成樹脂で成型すると共に、カバー用かしめピン２６０を有色の合成樹脂で成型、或いは外表面を着色することで、不透明な外観を有する構造とすれば、封止のためにカバー部材２５０や取付ベース２３０の内部に挿入された部分を外側から容易に確認することができる。
【００６５】
カバー部材２５０の封止挿入部２５５は、図６（ａ）に示すように、カバー用かしめピン２６０の位置決め平坦部２６４ａが嵌合し得る所用形状の窪みである導入凹部２５５ａの略中央に形成した第１位置決め孔２５５ｂと、導入凹部２５５ｂの右側（挿入封止部２６２を挿入する側）に設けた第２位置決め孔２５５ｃと、更に、この第２位置決め孔２５５ｃに連なるように設けられ、通常状態の挿入封止部２６２を通過させ得る封止挿入孔２５５ｄを備える。
【００６６】
そして、カバー用かしめピン２６０の挿入位置規制部２６４における第１位置決め突部２６４ｂおよび第２位置決め突部２６４ｃを、各々封止挿入部２５５における第１位置決め孔２５５ｂおよび第２位置決め孔２５５ｃに各々嵌入させつつ、位置決め平坦部２６４ａにおける当着面をカバー部材２５０の導入凹部２５５ａに押し当てるように取り付けてゆくと、カバー用かしめピン２６０の挿入封止部２６２も封止挿入孔２５５ｄへ導かれて行き、封止挿入部２６２の適正な位置決めが行われ、封止挿入部２５５の第１退避阻止部２６２ａおよび第２退避阻止部２６２ｄが封止受入部２３８の封止受入穴２３８ａへ挿入されてゆく。
【００６７】
なお、本構成例におけるカバー用かしめピン２６０の第１位置決め突部２６４ｂは、取付ベース２３０の位置決め挿入孔２３７まで嵌まり込むものであり、例えば、カバー部材２５０が適正な状態に取付ベース２３０へ取り付けられていない場合には、カバー部材２５０の第１位置決め孔２５５ｂと取付ベース２３０の位置決め挿入孔２３７が連通していないために、挿入位置規制部２６４を封止挿入部２５５へ取り付けることが出来ず、カバー用かしめピン２６０による封止を行うことはできない。また、カバー部材２５０が適正な状態に取付ベース２３０へ取り付けられていない場合には、カバー部材２５０における封止挿入部２５５の封止挿入孔２５５ｄと取付ベース２３０における封止受入部２３８の封止受入口２３８ａが連通しないために、挿入封止部２６２を挿入する封止空部が形成されず、カバー用かしめピン２６０による封止を行うことはできない。
【００６８】
上記のように、カバー部材２５０を取付ベース２３０に適正な状態で取り付けた上、挿入位置規制部２６４により位置決めされた状態でカバー用かしめピン２６０を取り付けると、位置決め平坦部２６４ａの当着面が導入凹部２５５ａに押し当たったところで、挿入封止部２６２が封止空部（カバー部材２５０における封止挿入部２５５の封止挿入孔２５５ｄと取付ベース２３０における封止受入部２３８の封止受入口２３８ａが連通して構成される空部）内へ入ることが規制され、それ以上深く挿入封止部２６２を封入空部内へ挿入することは出来ない。したがって、カバー用かしめピン２６０に挿入位置規制部２６４を設け、カバー部材２５０の封止挿入部に導入凹部２５５ａを設けることにより、挿入封止部２６２が封止空部へ挿入される位置を浅い第１位置に規制することができ、後に詳述する取付ベース２３０の封止受入部２３８に設けた係止構造により、挿入封止部２６２を封止空部から退避することが出来ないようになる（例えば、図６（ｂ）を参照）。
【００６９】
また、挿入封止部２６２の幅（取り付け時には上下となる方向の幅）は挿入位置規制部２６４の位置決め平坦部２６４ａの幅よりも狭く、概ね、かしめ連結部２６３と同じ幅となるようにしてあり、この幅が狭い挿入封止部２６２に対応させるように、カバー部材２５０の封止挿入部２５５には、上下両側にガイド保護部２５５ｅを設けておき、封止挿入孔２５５ｄ内へ挿入した封止挿入部２５５の上下両側に隙間が殆ど生じないようにする。しかし、かしめ連結部２６３と挿入封止部２６２との連続する部位に形成した切断部２６２ｃの上下両側には、ガイド保護部２５５ｅよりも奥（スロットマシン１００の後方側）へ窪んだ切断指標凹部２５５ｆを設けてあり、切断部２６２ｃの上下両側には、切断具（ニッパー等）の刃先を差し入れることが可能な空間が確保される。
【００７０】
すなわち、切断部２６２ｃで切断すれば、カバー部材２５０を傷つけることなく、容易に挿入封止部２６２をかしめ連結部２６３から切り離せるが、切断部２６２ｃよりもケース分離阻止部２６２ｂ側で切断するためにはガイド保護部２５５ｅが障害となって切断が困難となり、無理に切断具の刃先を入れようとすると、ガイド保護部２５５ｅが傷つき、カバー部材２５０に痕跡が残ることとなる。
【００７１】
一方、切断部２６２ｃよりも挿入位置規制部２６４側となるかしめ連結部２６３であれば、かしめ連結部２６３の上下両側に切断具の刃先を挿入できるので、かしめ連結部２６３の途中で挿入封止部２６２側を切り離すことは可能であるものの、挿入封止部２６２におけるケース分離阻止部２６２ｂにかしめ連結部２６３の一部が付着した状態となっているため、封止受入部２３８の封止受入口２３８ａの開口領域内に収まらず、ケース分離阻止部２６２ｂを封止受入口２３８ａ内へ完全に挿入することが出来ないので、ケース分離阻止部２６２ｂが障害となって、カバー部材２５０をスライドさせることが出来ず、取付ベース２３０から分離することは出来ない。
【００７２】
したがって、取付ベース２３０に対するカバー部材２５０の封止を解くために挿入封止部２６２を切り離す適正な切断位置は、切断部２６２ｃに制限されるのである。そして、カバー用かしめピン２６０による封止解除のために挿入封止部２６２を切り離す位置が切断部２６２ｃに制限される構造を採用すると共に、切断部２６２ｃには、切断具の刃先を圧接させる向き（固定時における上下方向）に、剛性の異なる複数の領域を設けて、切断された痕跡を視覚的に確認し易いようにすれば、基板収納ケースの開封による不正防止に一層有効である。
【００７３】
本構成例における切断部２６２ｃは、図７（ａ）に示すように、上下方向（切断具の刃先Ｂ１，Ｂ２が圧接される方向）に３つの窪みを低剛性領域２６２ｃ１として設け、これら低剛性領域２６２ｃ１の上下両側には薄壁状の高剛性領域２６２ｃ２が生ずる構造とした。かくすれば、切断具による切断時に、刃先Ｂ１，Ｂ２により高剛性領域２６２ｃ２が圧接される方向に空隙である低剛性領域２６２ｃ１が存在するため、高剛性領域２６２ｃ２の変形が顕著に生じ（図７（ｂ）を参照）、切断前の状態に戻すことが困難な切断面となる。よって、切断部２６２ｃが切断具によって切断された場合には、その痕跡を高剛性領域２６２ｃの切断面における変形として確認できるのである。なお、高剛性領域と低剛性領域の構成は特に限定されるものではなく、剛性の異なる素材を層状に重ねることで高剛性領域と低剛性領域が交互に生ずるようにしても良い。
【００７４】
また、カバー用かしめピン２６０のカバー用固定部２６１は、カバー部材２５０のかしめピン固定用係止孔２５４に挿入して係止させることで、カバー用かしめピン２６０をカバー部材２５０から取り外すことが出来なくなり、挿入位置規制部２６４と挿入封止部２６２が切断されても、可撓性連結部２６５を介してカバー用固定部２６１と連結されている挿入位置規制部２６４はカバー部材２５０と一緒に残ることとなる。なお、可撓性連結部２６５は、例えば、略Ｍ字形の波状に形成された細い棒状の部材とすることで、変形の自由度を高め、カバー用固定部２６１と挿入位置規制部２６４の相対的な位置関係を容易に変更可能としている。
【００７５】
図５（ａ）に示されるように、カバー部材２５０を取付ベース２３０に固定して封印した状態では、カバー部材２５０は、主基板収納ボックス２１０のボックス用かしめ部２１２ｃ、２１３ｃおよびボックス用かしめピン２１４ａ、固定用かしめ部２１２ｄ、２１３ｄおよび固定用かしめピン２１４ｂ、ＩＣタグ封印シール２１５、ならびにコネクタ２１１ｃの開封阻止部を覆っている。このため、これらの開封阻止部への外部からのアクセスを困難にし、主制御基板２１１に対する不正行為をより確実に防止することが可能となっている。また、カバー部材２５０を略Ｌ字構造とすることで、主基板収納ボックス２１０の中央部分の視認性を阻害しないため、不正行為を効果的に防止しながらも、主制御基板２１１の状態を外部から容易に目視で確認可能となっている。
【００７６】
図５（ｂ）は、取付ベース２３０からカバー部材２５０を取り外す方法を示した図である。カバー部材２５０を取付ベース２３０から取り外す場合には、まずカバー用かしめピン２６０の切断部２６２ｃを切断して封印を解除する（詳細は後述する）。次に、制止孔２５２から制止片２３６の斜面部２３６ａを取付ベース２３０内部に向けて（裏側に向けて）押圧し、制止片２３６の先端面が制止孔２５２の内側面と当接しない状態とした上で、カバー部材２５０を左方向にスライドさせ、鉤形舌片２５１を案内溝２３５の案内部２３５ｂから挿脱部２３５ａに移動させる。そして、鉤形舌片２５１を挿脱部２３５ａから脱離させることにより、カバー部材２５０は取付ベース２３０から取り外される。
【００７７】
〈カバー部材の封印、および封印の解除〉
次に、カバー部材２５０を取付ベース２３０へ取り付けた状態での封印、および封印の解除について詳細に説明する。図８（ａ）〜（ｃ）は、取付ベース２３０に対するカバー部材２５０の封印から封印解除による開封までの工程を示した概略断面図である。
【００７８】
まず、同図（ａ）は、カバー部材２５０を封印している状態を示している。同図（ａ）に示されるように、カバー用かしめピン２６０のカバー用固定部２６１は、略円盤状の基部２６１ａ、およびこの基部２６１ａに突設された２つの舌片部２６１ｂから構成されている。２つの舌片部２６１ｂの先端部の外側面には、楔形状の係止突起２６１ｃがそれぞれ設けられている。
【００７９】
そして、カバー用固定部２６１は、楔形状の係止突起２６１ｃにより２つの舌片部２６１ｂが弾性変形して内側に曲がりながらカバー部材２５０のかしめピン固定用係止孔２５４に挿入される。係止突起２６１ｃがかしめピン固定用係止孔２５４を通過すると、２つの舌片部２６１ｂの弾性変形が解除されて外側に広がるため、係止突起２６１ｃによってカバー用固定部２６１がかしめピン固定用係止孔２５４に係止される。カバー部材２５０が取付ベース２３０に固定された状態では、係止突起２６１ｃはカバー部材２５０の裏側に遮蔽された状態となるため、破壊等の痕跡を残さずにカバー用固定部２６１の係止を解除することは不可能となっている。
【００８０】
一方、挿入位置規制部２６４の位置決め平坦部２６４ａはカバー部材２５０の封止挿入部２５５における導入凹部２５５ａに嵌合し、第１位置決め突部２６４ｂがカバー部材２５０の第１位置決め孔２５５ｂおよび取付ベース２３０の位置決め挿入孔２３７を貫通し、第２位置決め突部２６４ｃがカバー部材２５０の第２位置決め孔２５５ｃに嵌まり、挿入封止部２６２がカバー部材２５０における封止挿入部２５５の封止挿入孔２５５ｄと取付ベース２３０における封止受入部２３８の封止受入口２３８ａが連通して構成される封止空部内の第１位置まで挿入され、取付ベース２３０とカバー部材２５０を分離できないように封止した状態となる。以下に、この封止構造を実現する挿入封止部２６２と取付ベース２３０の封止受入部の詳細を説明する。
【００８１】
かしめ連結部２６３と連結されているケース分離阻止部２６２ｂは、少なくともカバー部材２５０の封止挿入孔２５５ｄの深さに等しい長さを有し、その挿入側端部より第１退避阻止部２６２ａが形成され、挿入封止部２６２が封止空部の第１位置まで挿入されたとき、第１退避阻止部２６２ａは取付ベース２３０の封止受入穴２３８ａ内へ完全に入り込んだ状態になる。
【００８２】
第１退避阻止部２６２ａは、例えば四角柱状の主体部２６２ａ１に対して、その相対向する二側面（例えば、固定時における左右の側面）の挿入側端部よりケース分離阻止部２７２ｂ側に向って拡開する一対の係止片２６２ａ２を設けたものであり、少なくとも係止片２６２ａ２と主体部２６２ａ１との連結部は比較的弱い力で変形する弾性を有する構造（例えば、弾性変形可能な樹脂を素材として一体成型しても良いし、一定角度範囲での開閉動作が可能な蝶番機構で構成しても良い。）とすることによって、係止片２６２ａ２が開いた第１状態から、係止片２６２ａ２が主体部２６２ａ１の側面に押し当たるように変形させた第２状態への変換を可能とし、その力を取り除くと第１状態に自動復帰するものである。
【００８３】
取付ベース２３０における封止受入穴２３８ａの開口領域は、挿入封止部２６２における第１退避阻止部２６２ａが第１状態では通過できないが、第２状態に変形することで通過可能となる。よって、挿入封止部２６２を封止空部へ挿入してゆく過程では、第１退避阻止部２６２ａの各係止片２６２ａ２が主体部２６２ａ１の両側に押し当たるように弾性変形するので、比較的弱い押圧力で挿入封止部２６２を封止空部内へ押し込むことが出来る。
【００８４】
そして、挿入封止部２６２が封止空部の第１位置近傍まで挿入されたとき、或いは第１位置に達した時点で、第１退避阻止部２６２ａの各係止片２６２ａ２が封止受入穴２３８ａの開口壁部２３８ａ１を通過し、内部空間が広がった第１係止受部２３８ｂに至る。すなわち、第１係止受部２３８ｂに至った挿入封止部２６２の第１退避阻止部２６２ａは、開口壁部２３８ａ１による係止片２６２ａ２の拘束が解かれ、第２状態から第１状態に自動復帰し、係止片２６２ａ２のケース分離阻止部２６２ｂ側端部が第１係止受部２３８ｂ内で広がるため、挿入封止部２６２を封止受入穴２３８ａから引き抜くことが出来なくなる。加えて、かしめ用連結部２６３を介して挿入封止部２６２と連結されている挿入位置規制部２６４はカバー部材２５０の封止挿入部２５５に位置規制されているから、挿入封止部２６２を封止空部へ更に深く挿入することもできない。
【００８５】
このように、第１退避阻止部２６２ａを封止受入穴２３８ａから抜いたり、更に押し込んだり出来なければ、ケース分離阻止部２６２ｂを封止挿入孔２５５ｄから移動させることが出来ないので、カバー部材２５０を取付ベース２３０から分離するためのスライド動作を行うことは不可能であるから、カバー用かしめピン２６０による封止が実現される。このとき、カバー用かしめピン２６０は、有色の樹脂で成型してあることから、挿入封止部２６２の切断部２６２ｃを挟んでケース分離阻止部２６２ｄとかしめ連結部２６３が繋がっていることで、封印されている状態を視認し易くなっている。
【００８６】
また、上記のようにして挿入封止部２６２を第１位置にて係止する第１退避阻止部２６２ｂの更に挿入側に設ける第２退避阻止部２６２ｄは、適宜な空隙を介して対向状に設けた一対の第２係止部２６２ｄ１を設け、一対の第２係止部２６２ｄ１は先端部が互いに離隔した第１状態から、両先端部が互いに近接する第２状態に撓めて変換させることができ、その力を取り除くと第１状態に自動復帰するものである。これら第２係止部２６２ｄ１の各先端部には、互いに離反する位置に楔形状の係止突起２６２ｄ２を設けてあり、第２係止部２６２ｄ１が第１状態では通れない開口でも、第２状態に変換することで通ることが可能となる。
【００８７】
次に、同図（ｂ）および（ｃ）は、カバー部材２５０の封印を解除する方法を示している。カバー部材２５０の封印を解除する場合には、まず、同図（ｂ）に示されるように、切断部２６２ｃを切断することで、挿入封止部２６２全体を挿入位置規制部２６４およびかしめ連結部２６３から切り離す。このとき、切断部２６２ｃが切断されたことは、低剛性領域２６２ｃ１と高剛性領域２６２ｃ２を設けた切断部２６２ｃにおける切断面の歪みから知ることができるだけではなく、同一色で繋がっている筈のケース分離阻止部２６２ｂとかしめ連結部２６３が離隔している状態からも分かる。そして、カバー部材２５０側から取付ベース２３０内に向けて（裏側に向けて）挿入封止部２６２をさらに深く挿入することで、ケース分離阻止部２６２ｂがカバー部材２５０の開封通過領域から外れる第２位置へ移動させる。
【００８８】
このとき、挿入封止部２６２の第２退避阻止部２６２ｄは、取付ベース２３０の封止受入部２３８における封止受入穴２３８ａの底壁となる第２係止受部２３８ｃに突き当たることとなるが、第２係止受部２３８ｃに設けた第２係止孔２３８ｃ１に楔形状の係止突起２６２ｄ２が入ることで、２つの第２係止部２６２ｄ１が弾性変形して互いに近接する第２状態に変換しながら第２係止孔２３８ｃ１を通過してゆく。
【００８９】
そして、挿入封止部２６２が封止空部の第２位置近傍まで挿入されたとき、或いは第２位置に達した時点で、第２退避阻止部２６２ｄの各第２係止部２６２ｄ１の先端に設けた係止突起２６２ｄ２が第２係止孔２３８ｃ１を通過し、２つの第２係止部２６２ｄ２は互いに離隔する第１状態に自動復帰する。すなわち、第２係止孔２３８ｃ１を通過した２つの係止突起２６２ｄ２が互いに離反するように広がることで、第２係止受部２３８ｃにおける第２係止孔２３８ｃ１の開口縁に係止され、挿入封止部２６２を封止受入穴２３８ａから引き抜くことが出来なくなるので、挿入封止部２６２を第２位置から第１位置へ戻すことも不可能となる。
【００９０】
この第２位置では、挿入封止部２６２のケース分離阻止部２６２ｂは、カバー部材２５０の封止挿入孔２５５ｄ６（開封通過領域）から完全に離脱しており、カバー部材２５０の取付ベース２３０への取り付け状態を保持しないようになっている。従って、同図（ｃ）に示されるように、挿入位置規制部２６４を抜き取ることによって、カバー部材２５０をスライドさせることが可能となり、取付ベース２３０からカバー部材２５０を取り外すことができる。
【００９１】
しかしながら、カバー部材２５０の封印を解除してカバー部材２５０を取付ベースから取り外した後も、カバー用固定部２６１、可撓性連結部２６５、挿入位置規制部２６４およびかしめ連結部２６３はカバー部材２５０側に残ると共に、挿入封止部２６２は封止受入穴２３８ａへ第２位置まで挿入された状態で取付ベース２３０側に残るので、封印が解除されたことを外部から容易に確認できる。加えて、透光性合成樹脂で構成されたカバー部材２５０の封止挿入部２５５と取付ベース２３０の封止受入部２３８とで構成される封止空部は、ケース外部から透かして見ることができるので、有色の合成樹脂で構成されたカバー用かしめピン２６０の挿入封止部２６２が残っている状態を容易に確認でき、封印解除を見落とすようなミスも効果的に防げる。
【００９２】
なお、上述した構成例では、挿入封止部２６２を第２位置に係止して第１位置への復帰を不能にするために、第１退避阻止部２６２ａとは別に第２退避阻止部２６２ｄを設けるものとしたが、この構成に限定されるものではなく、例えば、第１係止受部２３８ｂと同様な構造の第２係止受部を封止挿入穴２３８ａ内に設けておき、挿入封止部２６２を第２位置まで封止空部へ挿入したとき、第１退避阻止部２６２ａの係止片２６２ａ２が第２係止受部に係止されることで、挿入封止部２６２を第２位置に止めるようにしても良い。斯くすれば、第２退避阻止部２６２ｄを設ける必要がないので、挿入封止部２６２の構造を単純化でき、カバー用かしめピン２６０の製造コストを抑制することにも繋がる。
【００９３】
また、上述したカバー用かしめピン２６０の構成例では、全体を有色の樹脂で一体成型するものとしたが、成型後に外表面へ塗装するようにしても良い。少なくとも、挿入封止部２６２の切断部２６２ｃを挟んで繋がっているケース分離阻止部２６２ｂとかしめ連結部２６３の外表面を同一色で塗装することにより、不透明な有色表面を有するものとしておけば、切断部２６２ｃが切断された封印解除の状態も、挿入封止部２６２が第２位置まで挿入された開封状態も、明確に視認できるのである。
【００９４】
〈制御部〉
次に、図９および図１０を用いて、このスロットマシン１００の制御部の回路構成について詳細に説明する。
【００９５】
スロットマシン１００の制御部は、大別すると、遊技の中枢部分を制御する主制御部３００と、主制御部３００より送信されたコマンドに応じて各種機器を制御する副制御部４００と、によって構成されている。
【００９６】
〈主制御部〉
まず、図９を用いて、スロットマシン１００の主制御部３００について説明する。なお、同図は主制御部３００の回路ブロック図を示したものである。
【００９７】
主制御部３００は、主制御部３００の全体を制御するための演算処理装置であるＣＰＵ３１０や、ＣＰＵ３１０が各ＩＣや各回路と信号の送受信を行うためのデータバスおよびアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００９８】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００９９】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【０１００】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダルおよびベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【０１０１】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー１８０のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）と、外部集中端子板２３３が接続されている。
【０１０２】
また、ＣＰＵ３１０には、乱数発生回路３１７がデータバスを介して接続されている。乱数発生回路３１７は、水晶発振器３１１および水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【０１０３】
〈副制御部〉
次に、図１０を用いて、スロットマシン１００の副制御部４００について説明する。なお、同図は副制御部４００の回路ブロック図を示したものである。
【０１０４】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバスおよびアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【０１０５】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【０１０６】
また、ＣＰＵ４１０には、副制御部４００の全体を制御するための命令およびデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【０１０７】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【０１０８】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【０１０９】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払い出し口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７および扉１６３を制御する制御部である。
【０１１０】
〈主制御部の処理〉
次に、図１１１を用いて、主制御部３００のメイン処理について説明する。なお、同図は、主制御部３００のメイン処理の流れを示すフローチャートである。
【０１１１】
遊技の基本的制御は主制御部３００のＣＰＵ３１０が中心になって行い、電源断等を検知しないかぎり、同図の処理を実行する。また、各処理の実行によって得られた情報は副制御部４００に送信する。
【０１１２】
スロットマシン１００に電源投入が行われると、まず、ステップＳ１０１で初期処理が実行される。ここでは各種の初期化処理が行われる。
【０１１３】
ステップＳ１０２ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればステップＳ１０４へ進む。
【０１１４】
ステップＳ１０３では投入されたメダル枚数を確定し、有効な入賞ラインを確定する。ステップＳ１０４では乱数発生器で発生させた乱数を取得する。
【０１１５】
ステップＳ１０５では、現在の遊技状態に応じてＲＯＭに格納されている入賞役抽選テーブルを読み出し、これとステップＳ１０４で取得した乱数値とを用いて内部抽選を行う。内部抽選の結果、いずれかの入賞役（作動役を含む）に内部当選した場合、その入賞役のフラグがＯＮになる。ステップＳ１０６では内部抽選結果に基づき、リール停止データを選択する。
【０１１６】
ステップＳ１０７では全リール１１０〜１１２の回転を開始させる。ステップＳ１０８では、ストップボタン１３７〜１３９の受け付けが可能になり、いずれかのストップボタンが押されると、押されたストップボタンに対応するリール１１０〜１１２のいずれかをステップＳ１０６で選択したリール停止制御データに基づいて停止させる。全リール１１０〜１１２が停止するとステップＳ１０９へ進む。
【０１１７】
ステップＳ１０９では、入賞判定を行う。ここでは、有効化された入賞ライン１１４上に、何らかの入賞役に対応する絵柄組合せが表示された場合にその入賞役に入賞したと判定する。例えば、有効化された入賞ライン上に、「ベル−ベル−ベル」が揃っていたならばベル入賞と判定する。但し、ビッグボーナス（ＢＢ）およびレギュラーボーナス（ＲＢ）については、今回の遊技で入賞しなかった場合は、次回の遊技に内部当選フラグがＯＮの状態が維持される。所謂フラグの持ち越しが行われる。
【０１１８】
ステップＳ１１０では払い出しのある何らかの入賞役に入賞していれば、その入賞役に対応する枚数のメダルを入賞ライン数に応じて払い出す。ステップＳ１１１では遊技状態制御処理を行う。以上により１ゲームが終了する。以降ステップＳ１０２へ戻って上述した処理を繰り返すことにより遊技が進行することになる。
【０１１９】
〈副制御部の処理〉
次に、図１２（ａ）および（ｂ）を用いて、副制御部４００の処理について説明する。図１２（ａ）は、副制御部４００の割込み処理の流れを示すフローチャートである。副制御部４００は、所定の周期（本実施形態では、２ｍｓに１回）でタイマ割込みを発生するハードウェアタイマを備えており、このタイマ割込みを契機として、副制御部４００の割込み処理を実行する。
【０１２０】
ステップＳ２０１では、受信コマンドがあるか否かを判定する。主制御部３００からコマンドを受信した場合はステップＳ２０２に進み、そうでない場合は処理を終了する。ステップＳ２０２では、受信コマンドを未処理コマンドとしてＲＡＭ４１３のコマンド記憶領域に記憶（格納）する。
【０１２１】
図１２（ｂ）は、副制御部４００のメイン処理の流れを示すフローチャートである。
【０１２２】
ステップＳ３０１では、ＲＡＭ４１３のコマンド記憶領域に未処理コマンド（上記副制御部４００の割込み処理によって格納される制御コマンド）が格納されているか否かを判定する。未処理コマンドがある場合はステップＳ３０２に進み、そうでない場合は上記判定を繰り返す。ステップＳ３０２では、未処理コマンドの内容を解析して判定する。
【０１２３】
ステップＳ３０３では、演出制御処理を行う。ここでは、主制御部３００から受信したコマンド等に基づいて、副制御部４００の各演出デバイス（演出ランプ４３０、スピーカ４８３等）、ならびに液晶表示装置１５７および扉装置１６３等による各種演出制御の設定や、動作制御データ等の更新を行う。
【０１２４】
ステップＳ３０４では、副制御部４００の各演出デバイス、ならびに液晶表示装置１５７および扉装置１６３を制御する扉・液晶画面制御部４９０に制御データを出力する必要があるか否かを判定する。制御データを出力する必要がある場合はステップＳ９０５に進み、そうでない場合はステップＳ３０１に戻る。ステップＳ３０５では、副制御部４００の各演出デバイスおよび扉・液晶画面制御部４９０に制御データを出力した後に、ステップＳ３０１に戻って上記処理を繰り返し実行する。
【０１２５】
なお、本実施形態では、本発明を主制御基板２１１に対して適用した例を示したが、本発明はこれに限定されるものではなく、副制御部４００を構成する副制御基板等の他の制御基板に対して本発明を適用するようにしてもよい。
【０１２６】
以上説明したように、本発明の第１実施形態に係る基板収納ケースは、各種電子部品を実装した基板（主制御基板２１１）を内部空間に収容し、少なくとも、第１ケース構成体（取付ベース２３０）と第２ケース構成体（カバー部材２５０）を分離することがケース開封の必要条件である遊技台（スロットマシン１００）の基板収納ケース（主基板収納ボックス２１０を取付ベース２３０に収容してカバー部材２５０を取り付けた構造）であって、前記第１ケース構成体および第２ケース構成体は、基板の視認性を損なうことがないよう可視光域で透明性を有する素材で構成され、前記第１ケース構成体に前記第２ケース構成体を適正に取り付けたときに、第２ケース構成体の封止挿入部（封止挿入部２５５の封止挿入孔２５５ｄ）から第１ケース構成体の封止受入部（封止受入部２３８の封止受入穴２３８ａ）に連通すると共に、ケース外部から透かして見ることができる封止空部が形成され、前記第１ケース構成体と第２ケース構成体を分離不能に保持するために封止空部へ挿入する挿入封止部（２６２）を備える封止部材（カバー用かしめピン２６０）には、前記挿入封止部が封止空部へ挿入される位置を浅い第１位置に規制する挿入位置規制部（２６４）を設け、前記挿入位置規制部と連結部（かしめ連結部２６３）を介して接続される挿入封止部には、前記挿入位置規制部によって規制された第１位置まで封止空部へ挿入されることで、第１ケース構成体の第１係止受部（２３８ｂ）に係止され、封止空部からの退避を不能にする第１退避阻止部（２６２ａ）と、前記挿入位置規制部によって規制された第１位置まで封止空部へ挿入されたときには、前記第１ケース構成体に対して前記第２ケース構成体を分離するために、第２ケース構成体の封止挿入部が必ず通過する開封通過領域（カバー部材２５０の封止挿入孔２５５ｄ内）に延在することで、第１ケース構成体と第２ケース構成体の分離を阻止するケース分離阻止部（２６２ｂ）と、前記ケース分離阻止部と前記連結部とを切断し易くした切断部（２６２ｃ）と、を設け、少なくとも、前記挿入封止部の切断部を挟んで繋がっているケース分離阻止部と連結部は、不透明な有色表面を有するものとし、前記切断部にて連結部とケース分離阻止部とを切断することで前記挿入位置規制部による挿入位置の規制が解かれたときに、前記ケース分離阻止部が第２ケース構成体の開封通過領域から外れる第２位置まで、挿入封止部を封止空部へ深く挿入することで、第１ケース構成体と第２ケース構成体が分離可能になる。従って、目的の如何を問わず、第１ケース構成体と第２ケース構成体とを分離させた場合には、切断された封止部材が第１ケース構成体と第２ケース構成体の両方に残ることとなり、切断された封止部材を取り除こうとすれば、第１ケース構成体および第２ケース構成体の一部を破損させることとなるので、確実に開封の痕跡を残すことができる。加えて、開封のために封止部材が切断部で切断されると、不透明な有色表面を有するケース分離阻止部と連結部が離隔している状態を視認し易いことに加えて、第２位置に移動させた封止挿入部のケース分離阻止部が封止空部を透かして見えるので、開封の痕跡を一層良好に確認できる。
【０１２７】
また、上述した実施形態の遊技台の基板収納ケースにおいては、前記挿入封止部を第２位置まで封止空部へ挿入したとき、第１ケース構成体に設けた第２係止受部（２３８ｃ）に係止され、封止空部からの退避を不能にする第２退避阻止部（２６２ｄ）を挿入封止部に設けることで、第２位置まで挿入した封止部材を第１位置まで引き戻すことができないようにし、あたかも封止部材が切断されていないかのような偽装を不可能とし、封止部材の挿入封止部が第２位置に移動している状態から、開封の痕跡を判断し易くできる。
【０１２８】
なお、開封のために封止部材を第２位置へ移動させた状態を保持する構造は、上述した第１実施形態の構造に限定されるものではなく、例えば、前記挿入封止部を第２位置まで封止空部へ挿入したとき、前記第１係止部が第１ケース構成体に設けた第２係止受部に係止され、封止空部からの退避を不能にするようにしても構わない。
【０１２９】
また、上述した実施形態の遊技台の基板収納ケースにおいては、前記挿入封止部を第２位置まで封止空部へ挿入したとき、ケース分離阻止部が第１ケース構成体における封止受入部の開口面より突出しないようにすることで、挿入封止部のケース分離阻止部が開封通過領域から外れた状態に保持されることとなり、そのまま第１ケース構成体と第２ケース構成体の分離作業を行うことができるので、分離作業を容易に行うことができる。しかしながら、挿入封止部を第１位置から第２位置へ移動させた後、挿入封止部が再び第２位置へ戻っていなければ、開封痕跡を目視確認できるので、例えば、第１位置と第２位置の間である第３位置に止まらせておき、第１ケース構成体と第２ケース構成体を分離する際には、第３位置にある挿入封止部を第２位置へ移動させつつ開封作業を行わなければならないようにすると、不正に基板収納ケースを開封しようとする者にとって、開封作業が一層困難となるので、不正の抑止に寄与できる。
【０１３０】
また、上述した実施形態の遊技台の基板収納ケースにおいては、前記挿入封止部を第１位置まで封止空部へ挿入した状態における切断部の両側から切断具の刃先を差し入れ可能なように、第２ケース構成体の封止挿入部に切断指標凹部（２５５ｆ）を設けるものとし、ケース側に傷を付けずに封止部材の切断を行えるようにした。
【０１３１】
また、上述した実施形態の遊技台の基板収納ケースにおいては、前記切断部には、切断具の刃先を圧接させる向きに、剛性の異なる複数の領域（低剛性領域２６２ｃ１と高剛性領域２６２ｃ２）を設けたので、切断部の切断面が複雑となって、元の状態に復元することが困難であるから、切断の痕跡を一層明瞭に残せる。
【０１３２】
また、上述した実施形態の遊技台の基板収納ケースにおいては、前記封止部材の挿入位置規制部には位置決め突部（第１位置決め突部２６４ｂ、第２位置決め突部２６４ｃ）を設け、前記第２ケース構成体の封止挿入部には、前記挿入位置規制部の形状（位置決め平坦部２６４ａの形状）に応じた導入凹部（２５５ａ）と、位置決め突部を嵌入させ得る位置決め孔（第１位置決め孔２５５ｂ、第２位置決め孔２５５ｃ）を設け、挿入位置規制部を第２ケース構成体の適正位置に取り付けることで、挿入封止部が封止空部へ挿入されるようにしたので、封止部材における挿入封止部を挿入する封止空部が広めに形成してあっても、封止部材を適正位置に取り付けることが出来る。
【０１３３】
〈基板収納ケースの第２実施形態〉
上述した第１実施形態の基板収納ケースは、主基板収納ボックス２１０を取付ベース２３０に収容固定して更にカバー部材２５０を取り付ける構造とし、主制御基板２１１を取り出すために分離する必要がある第１ケース構成体と第２ケース構成体を、各々取付ベース２３０およびカバー部材２５０としたが、例えば、基板収納体を第１ケース構成体、蓋体を第２ケース構成体とすれば主基板収納ボックス２１０自体を基板収納ケースと看做すことができ、第１実施形態にて採用したカシメ構造を適用することが出来る。そこで、図１３および図１４を用いて、主基板収納ボックス２１０′そのものを基板収納ケースとした第２実施形態について説明する。
【０１３４】
主基板収納ボックス２１０′は、第１実施形態における主基板収納ボックス２１０と同様に、基板収納体２１２′および蓋体２１３′を組み合わせて構成される箱体に主制御基板２１１を収納した構成で、第１実施形態の主基板収納ボックス２１０と同様の構成には同一符号を付して説明を省略する。なお、基板収納体２１２′および蓋体２１３′も、それぞれ透光性の樹脂から構成されており、主基板収納ボックス２１０′内部に収納された主制御基板２１１を外部から視認することが可能となっている。
【０１３５】
基板収納体２１２′の下側縁には門型のヒンジ部２１２ａが２箇所に設けられ、上面の左右側縁には矩形状の窪みである係止凹部（不図示）がそれぞれ設けられている。そして、蓋体２１３′の下側縁にはヒンジ部２１２ａと係合するフック状のフック部２１３ａが２箇所に設けられ、上面の左右両側には基板収納体２１２′の係止凹部に係止される係止突部（不図示）を有する係止舌片２１３ｇがそれぞれ設けられている。従って、主基板収納ボックス２１０′を組み立てる場合には、まず、蓋体２１３′のフック部２１３ａを基板収納体２１２′のヒンジ部２１２ａに係合させ、次に、ヒンジ部２１２ａを中心に蓋体２１３′を後方へ押し込むように回転させて基板収納体２１２′と蓋体２１３′を合わせると共に蓋体２１３′の係止舌片２１３ｇに設けた係止突部を基板収納体２１２′の係止凹部に係止させれば良い。逆に、主基板収納ボックス２１０′を開く場合には、基板収納体２１２′の係止凹部から蓋体２１３′の係止舌片２１３ｇに設けた係止突部を離脱させ、ヒンジ部２１２ａを中心に蓋体２１３′を前方へ引き戻すように回転させればよい。
【０１３６】
基板収納ケースとしての基板収納ボックス２１０′を分離不能に封止するため、本実施形態では、開封動作のために回動させる蓋体２１３′の自由端側（回動中心となる下縁と対向位置にある上縁側）にカシメ構造を適用する。
【０１３７】
図１３（ａ）は、蓋体２１３′と基板収納体２１２′が適正に取り付けられることで、蓋体２１３′の上部左右に２箇所ずつ設けた封止挿入部２１５と基板収納体２１２′の上部左右に２箇所ずつ設けた封止受入部２１６により４箇所の封止空部が形成され、例えば、同一構造の第１かしめピン２７０Ａと第２かしめピン２７０Ｂを可撓性連結部２７０Ｃで連結して成る二連かしめピン２７０を左右に１つずつ用いることで、４箇所を封印できるのである（図１３（ｂ）を参照）。なお、二連かしめピン２７０は、例えば、有色（無彩色も含む）の樹脂により一体成型したものであり、透光性合成樹脂で構成された蓋体２１３′の封止挿入部２１５と基板収納体２１２′の封止受入部２１６とで構成される封止空部は、ケース外部から透かして見ることができる。また、封印は４箇所全て同時に行う必要はなく、例えば、主基板収納ボックス２１０′の右側では第１かしめピン２７０Ａのみを、左側では第２かしめピン２７０Ｂのみを封止空部内へ挿入して封印しておき、これを開封した後には、予備として残っている第１，第２かしめピン２７０Ａ，２７０Ｂを使って封印することが出来る。
【０１３８】
第１，第２かしめピン２７０Ａ，２７０Ｂは、蓋体２１３′に取り付けると共に適正位置への位置決めが出来る位置決め固定部２７１と、蓋体２１３′および基板収納体２１２′の両方に係止されることで分離不能に保持するための挿入封止部２７２と、この挿入封止部２７２と位置決め固定部２７１を連結するかしめ連結部２７３とから構成されている。なお、可撓性連結部２７０Ｃは、第１，第２かしめピン２７０Ａ，２７０Ｂの各位置決め固定部２７１を連結しており、挿入封止部２７２が位置決め固定部２７１から切り離されても影響がない。
【０１３９】
蓋体２１３′の封止挿入部２１５は、図１３（ａ）に示すように、第１，第２かしめピン２７０Ａ，２７０Ｂの位置決め固定部２７１の位置決め平坦部２７１ａが嵌合し得る所用形状の窪みである導入凹部２１５ａの略中央に形成した係止孔２１５ｂと、挿入封止部２７２を通過させ得る封止挿入孔２１５ｃを備える。なお、第１，第２かしめピン２７０Ａ，２７０Ｂの位置決め平坦部２７１ａにおける当着面（導入凹部２１５ａに押し当たる面）には、２つの舌片部２７１ｂが突設されており、２つの舌片部２７１ｂの先端部の外側面には、楔形状の係止突起２７１ｃがそれぞれ設けられており、蓋体２１３′の係止孔２１５ｂに係止突起２７１ｃが係止されると、第１，第２かしめピン２７０Ａ，２７０Ｂを蓋体２１３′から取り外すことが出来なくなり、位置決め固定部２７１と挿入封止部２７２が切断されても、位置決め固定部２７１は蓋体２１３′と一緒に残ることとなる。
【０１４０】
〈主基板収納ボックスの封印、および封印の解除〉
次に、蓋体２１３′を基板収納体２１２′へ取り付けた状態（主基板収納ボックス２１０′を構成した状態）での封印、および封印の解除について詳細に説明する。なお、以下の説明では、第１かしめピン２７０Ａと第２かしめピン２７０Ｂを特に区別せず、単にかしめピン２７０とよぶ。図１４（ａ）〜（ｃ）は、基板収納体２１２′に対する蓋体２１３′の封印から封印解除による開封までの工程を示した概略断面図である。
【０１４１】
まず、同図（ａ）は、蓋体２１３′を封印している状態を示している。同図（ａ）に示されるように、かしめピン２７０の位置決め固定部２７１は、楔形状の係止突起２７１ｃにより２つの舌片部２７１ｂが弾性変形して内側に曲がりながら蓋体２１３′の係止孔２１５ｂに挿入される。係止突起２７１ｃが係止孔２１５ｂを通過すると、２つの舌片部２７１ｂの弾性変形が解除されて外側に広がるため、係止突起２７１ｃによって位置決め固定部２７１が係止孔２１５ｂに係止される。蓋体２１３′が基板収納体２１２′に固定された状態では、係止突起２７１ｃは蓋体２１３′の裏側に遮蔽された状態となるため、破壊等の痕跡を残さずに位置決め固定部２７１の係止を解除することは不可能となっている。このとき、挿入封止部２７２は蓋体２１３′における封止挿入部２１５の封止挿入孔２１５ｃと基板収納体２１２′における封止受入部２１６の封止受入口２１６ａが連通して構成される封止空部内の第１位置まで挿入され、基板収納体２１２′と蓋体２１３′を分離できないように封止した状態となる。以下に、この封止構造を実現する挿入封止部２７２と基板収納体２１２′の封止受入部２１６の詳細を説明する。
【０１４２】
挿入封止部２７２は、位置決め固定部２７１によって規制された第１位置まで封止空部へ挿入されることで基板収納体２１２′の第１係止受部（後に詳述）に係止されて、封止空部からの退避を不能にする第１退避阻止部２７２ａと、第１位置まで封止空部へ挿入されたときには蓋体２１３′と基板収納体２１２′を分離するために、基板収納体２１２′が必ず通過する開封通過領域に延在する（基板収納体２１２′の封止挿入部２１５を貫通して蓋体２１３′の封止受入部２１６内へ至るように存在する）ことで、蓋体２１３′と基板収納体２１２′の分離を阻止するケース分離阻止部２７２ｂと、ケース分離阻止部２７２ｂとかしめ連結部２７３とを切断し易くした切断部２７２ｃを有する。
【０１４３】
さらに、本構成例においては、挿入封止部２７２の切断部２７２ｃにてかしめ連結部２７３とケース分離阻止部２７２ｂとを切断することで位置決め固定部２７１による挿入位置の規制が解かれたときに、ケース分離阻止部２７２ｂが基板収納体２１２′の開封通過領域から外れる第２位置（例えば、位置決め固定部２７１の最外端部が蓋体２１３′の封止受入部２１６の開口縁へ挿入された位置）まで、挿入封止部２７２を封止空部へ深く挿入することで、蓋体２１３′の第２係止受部（後に詳述）に係止されて、封止空部からの退避を不能にする第２退避阻止部２７２ｄを設けた。
【０１４４】
かしめ連結部２７３と連結されているケース分離阻止部２７２ｂは、少なくとも蓋体２１３′の封止挿入孔２１５ｃの深さに等しい長さを有し、その挿入側端部より第１退避阻止部２７２ａが形成され、挿入封止部２７２が封止空部の第１位置まで挿入されたとき、第１退避阻止部２７２ａは基板収納体２１２′の封止受入穴２１６ａ内へ完全に入り込んだ状態になる。
【０１４５】
第１退避阻止部２７２ａは、例えば四角柱状の主体部２７２ａ１に対して、その相対向する二側面（例えば、固定時における左右の側面）の挿入側端部よりケース分離阻止部２７２ｂ側に向って拡開する一対の係止片２７２ａ２を設けたものであり、少なくとも係止片２７２ａ２と主体部２７２ａ１との連結部は比較的弱い力で変形する弾性を有する構造（例えば、弾性変形可能な樹脂を素材として一体成型しても良いし、一定角度範囲での開閉動作が可能な蝶番機構で構成しても良い。）とすることによって、係止片２７２ａ２が開いた第１状態から、係止片２７２ａ２が主体部２７２ａ１の側面に押し当たるように変形させた第２状態への変換を可能とし、その力を取り除くと第１状態に自動復帰するものである。
【０１４６】
基板収納体２１２′における封止受入穴２１６ａの開口領域は、挿入封止部２７２における第１退避阻止部２７２ａが第１状態では通過できないが、第２状態に変形することで通過可能となる。よって、挿入封止部２７２を封止空部へ挿入してゆく過程では、第１退避阻止部２７２ａの各係止片２７２ａ２が主体部２７２ａ１の両側に押し当たるように弾性変形するので、比較的弱い押圧力で挿入封止部２７２を封止空部内へ押し込むことが出来る。
【０１４７】
そして、挿入封止部２７２が封止空部の第１位置近傍まで挿入されたとき、或いは第１位置に達した時点で、第１退避阻止部２７２ａの各係止片２７２ａ２が封止受入穴２１６ａの開口壁部２１６ａ１を通過し、内部空間が広がった第１係止受部２１６ｂに至る。すなわち、第１係止受部２１６ｂに至った挿入封止部２７２の第１退避阻止部２７２ａは、開口壁部２１６ａ１による係止片２７２ａ２の拘束が解かれ、第２状態から第１状態に自動復帰し、係止片２７２ａ２のケース分離阻止部２７２ｂ側端部が第１係止受部２１６ｂ内で広がるため、挿入封止部２７２を封止受入穴２１６ａから引き抜くことが出来なくなる。加えて、かしめ用連結部２７３を介して挿入封止部２７２と連結されている位置決め固定部２７１は蓋体２１３′の封止挿入部２１５に位置規制されているから、挿入封止部２７２を封止空部へ更に深く挿入することもできない。
【０１４８】
このように、挿入封止部２７２を第１位置まで挿入すると、第１退避阻止部２７２ａを封止受入穴２１６ａから抜いたり、更に押し込んだりすることが出来なくなり、この状態で蓋体２１３′を基板収納体２１２′から分離させるべく蓋体２１３′の回動操作を行おうとしても、蓋体２１３′における封止挿入孔２１５ｃの下縁部が回動時に通過する開封通過領域（図１４（ａ）中、破線Ｌで示す）内に、挿入封止部２７２のケース分離阻止部２７２ｂが存在するため、基板収納体２１２′と蓋体２１３′を分離させることが出来ないので、かしめピン２７０による封止が実現される。このとき、かしめピン２７０は、有色の樹脂で成型してあることから、挿入封止部２７２の切断部２７２ｃを挟んでケース分離阻止部２７２ｂとかしめ連結部２７３が繋がっていることで、封印されている状態を視認し易くなっている。
【０１４９】
また、上記のようにして挿入封止部２７２を第１位置にて係止する第１退避阻止部２６２ｂの更に挿入側に設ける第２退避阻止部２７２ｄは、適宜な空隙を介して対向状に設けた一対の第２係止部２７２ｄ１を設け、一対の第２係止部２７２ｄ１は先端部が互いに離隔した第１状態から、両先端部が互いに近接する第２状態に撓めて変換させることができ、その力を取り除くと第１状態に自動復帰するものである。これら第２係止部２７２ｄ１の各先端部には、互いに離反する位置に楔形状の係止突起２７２ｄ２を設けてあり、第２係止部２７２ｄ１が第１状態では通れない開口でも、第２状態に変換することで通ることが可能となる。
【０１５０】
次に、同図（ｂ）および（ｃ）は、蓋体２１３′の封印を解除する方法を示している。蓋体２１３′の封印を解除する場合には、まず、同図（ｂ）に示されるように、切断部２７２ｃを切断することで、挿入封止部２７２全体を位置決め固定部２７１およびかしめ連結部２７３から切り離す。このとき、切断部２７２ｃが切断されたことは、同一色で繋がっている筈のケース分離阻止部２７２ｂとかしめ連結部２７３が離隔している状態からも分かる。そして、蓋体２１３′側から基板収納体２１２′内に向けて（裏側に向けて）挿入封止部２７２をさらに深く挿入することで、ケース分離阻止部２７２ｂが蓋体２１３′の開封通過領域（図１４（ｂ）中、破線Ｌで示す）から外れる第２位置へ移動させる。
【０１５１】
このとき、挿入封止部２７２の第２退避阻止部２７２ｄは、基板収納体２１２′の封止受入部２１６における封止受入穴２１６ａの底壁となる第２係止受部２１６ｃに突き当たることとなるが、第２係止受部２１６ｃに設けた第２係止孔２１６ｃ１に楔形状の係止突起２７２ｄ２が入ることで、２つの第２係止部２７２ｄ１が弾性変形して互いに近接する第２状態に変換しながら第２係止孔２１６ｃ１を通過してゆく。
【０１５２】
そして、挿入封止部２７２が封止空部の第２位置近傍まで挿入されたとき、或いは第２位置に達した時点で、第２退避阻止部２７２ｄの各第２係止部２７２ｄ１の先端に設けた係止突起２７２ｄ２が第２係止孔２１６ｃ１を通過し、２つの第２係止部２７２ｄ２は互いに離隔する第１状態に自動復帰する。すなわち、第２係止孔２１６ｃ１を通過した２つの係止突起２７２ｄ２が互いに離反するように広がることで、第２係止受部２１６ｃにおける第２係止孔２１６ｃ１の開口縁に係止され、挿入封止部２７２を封止受入穴２１６ａから引き抜くことが出来なくなるので、挿入封止部２７２を第２位置から第１位置へ戻すことも不可能となる。
【０１５３】
この第２位置では、挿入封止部２７２のケース分離阻止部２７２ｂは、蓋体２１３′の封止挿入孔２１５ｃ（開封通過領域）から完全に離脱しており、蓋体２１３′の基板収納体２１２′への取り付け状態を保持しないようになっている。従って、同図（ｃ）に示されるように、基板収納体２１２′に対して蓋体２１３′を回動させることが可能となり、基板収納体２１２′から蓋体２１３′を取り外すことができる。
【０１５４】
しかしながら、蓋体２１３′の封印を解除して蓋体２１３′を取付ベースから取り外した後も、位置決め固定部２７１およびかしめ連結部２７３は蓋体２１３′側に残ると共に、挿入封止部２７２は封止受入穴２１６ａへ第２位置まで挿入された状態で基板収納体２１２′側に残るので、封印が解除されたことを外部から容易に確認できる。加えて、透光性合成樹脂で構成された蓋体２１３′の封止挿入部２１５と基板収納体２１２′の封止受入部２１６とで構成される封止空部は、ケース外部から透かして見ることができるので、有色の合成樹脂で構成されたかしめピン２７０の挿入封止部２７２が残っている状態を容易に確認でき、封印解除を見落とすようなミスも効果的に防げる。
【０１５５】
なお、上述した構成例では、挿入封止部２７２を第２位置に係止して第１位置への復帰を不能にするために、第１退避阻止部２７２ａとは別に第２退避阻止部２７２ｄを設けるものとしたが、この構成に限定されるものではなく、例えば、第１係止受部２１６ｂと同様な構造の第２係止受部を封止受入穴２１６ａ内に設けておき、挿入封止部２７２を第２位置まで封止空部へ挿入したとき、第１退避阻止部２７２ａの係止片２７２ａ２が第２係止受部に係止されることで、挿入封止部２７２を第２位置に止めるようにしても良い。斯くすれば、第２退避阻止部２７２ｄを設ける必要がないので、挿入封止部２７２の構造を単純化でき、かしめピン２７０の製造コストを抑制することにも繋がる。
【０１５６】
また、さらに、かしめピン２７０が有色表面を有する点に鑑みれば、以下のような遊技台も効果を奏する場合がある。
各種電子部品を実装した基板を内部空間に収容し、少なくとも、第１ケース構成体と第２ケース構成体を分離することがケース開封の必要条件である遊技台の基板収納ケースであって、前記第１ケース構成体および第２ケース構成体は、基板の視認性を損なうことがないよう可視光域で透明性を有する素材で構成され、前記第１ケース構成体に前記第２ケース構成体を適正に取り付けたときに、第２ケース構成体の封止挿入部から第１ケース構成体の封止受入部に連通すると共に、ケース外部から透かして見ることができる封止空部が形成され、前記第１ケース構成体と第２ケース構成体を分離不能に保持するために封止空部へ挿入する挿入封止部を備える封止部材には、前記挿入封止部が封止空部へ挿入される位置を浅い第１位置に規制する挿入位置規制部を設け、前記挿入位置規制部と連結部を介して接続される挿入封止部には、前記挿入位置規制部によって規制された第１位置まで封止空部へ挿入されることで、第１ケース構成体の第１係止受部に係止され、封止空部からの退避を不能にする第１退避阻止部と、前記挿入位置規制部によって規制された第１位置まで封止空部へ挿入されたときには、前記第１ケース構成体に対して前記第２ケース構成体を分離するために、第２ケース構成体の封止挿入部が必ず通過する開封通過領域に延在することで、第１ケース構成体と第２ケース構成体の分離を阻止するケース分離阻止部と、前記ケース分離阻止部と前記連結部とを切断し易くした切断部と、を設け、少なくとも、前記挿入封止部の切断部を挟んで繋がっているケース分離阻止部と連結部は、不透明な有色表面を有することを特徴とする遊技台。
【０１５７】
〈パチンコ機の構成〉
また、本発明に係る基板収納ケースを適用できる遊技台はメダル（コイン）を遊技媒体としたスロットマシンに限らず、遊技球（例えば、パチンコ玉）を遊技媒体としたスロットマシンやパチンコ機などにも適用可能である。
【０１５８】
図１５に示す遊技台は、「所定の遊技領域１００２に遊技球を発射する発射装置１０１０と、発射装置１０１０から発射された遊技球を入球可能に構成された入賞口１００６と、入賞口１００６に入球した遊技球を検知する検知手段１００８と、検知手段１００８が遊技球を検知した場合に遊技球（賞球）を払出す払出手段１０１２と、所定の図柄(識別情報)を変動表示する可変表示装置１００４を備え、入賞口１００６に遊技球が入って入賞することを契機として、可変表示装置１００４が図柄を変動させた後に停止表示させて、遊技状態の推移を告知するようなパチンコ機１０００」であり、このパチンコ機１０００が装備する各種の制御装置に対しても、本発明の基板収納ケースを適用できる。
【０１５９】
また、その他の遊技台として、アレンジボール遊技機、じゃん球遊技機、スマートボール、およびカジノマシン等の制御装置に対しても本発明を適用でき、同様の効果を得ることができる。
【０１６０】
以上、本発明の実施形態を図面に基づき詳細に説明した、本発明に係る遊技台の基板収納ケースは、上記した各実施形態に限定されるものではなく、本発明の要旨を逸脱しない範囲内において種々変更を加え得ることは勿論である。また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施形態に記載した複数の構成のうち、１つの構成に記載している内容を、他の構成に適用することでより遊技の幅を広げられる場合がある。
【符号の説明】
【０１６１】
１００      スロットマシン
２１０      主基板収納ボックス
２１１      主制御基板
２１２      基板収納体
２３０      取付ベース
２３８      封止受入部
２３８ａ    封止受入穴
２３８ｂ    第１係止受部
２３８ｃ    第２係止受部
２５０      カバー部材
２５５      封止挿入部
２５５ａ    導入凹部
２５５ｂ    第１位置決め孔
２５５ｃ    第２位置決め孔
２５５ｄ    封止挿入孔
２５５ｆ    切断指標凹部
２６０      カバー用かしめピン
２６２      挿入封止部
２６２ａ    第１退避阻止部
２６２ｂ    ケース分離阻止部
２６２ｃ    切断部
２６２ｄ    第２退避阻止部
２６３      かしめ連結部
２６４      挿入位置規制部
２６４ａ    位置決め平坦部
２６４ｂ    第１位置決め突部
２６４ｃ    第２位置決め突部
【図１】
0005417625.tif 000002
【図２】
0005417625.tif 000003
【図３】
0005417625.tif 000004
【図４】
0005417625.tif 000005
【図５】
0005417625.tif 000006
【図６】
0005417625.tif 000007
【図７】
0005417625.tif 000008
【図８】
0005417625.tif 000009
【図９】
0005417625.tif 000010
【図１０】
0005417625.tif 000011
【図１１】
0005417625.tif 000012
【図１２】
0005417625.tif 000013
【図１３】
0005417625.tif 000014
【図１４】
0005417625.tif 000015
【図１５】
0005417625.tif 000016